(57)【要約】【課題】  作業員に業務用ハンディターミナルのような高価な機器を持たせることなく、計器と変成器との誤組合せを防止することができる計器誤組合せ防止システム及び方法を提供する。【解決手段】  計器誤組合せ防止システム１０は、外部から入力される対象計器の機器バーコード情報を取得するバーコード情報取得手段１２と、対象計器の機器バーコード情報に基づいて、対象計器と組み合わせて使用される変成器を割り当てて対象計器と変成器との組合せ情報を生成するとともに、組合せ情報に基づいて対象計器と変成器とを関連付けるための関連付けバーコード情報を生成する変成器割当手段１３と、携帯電話４１から送信される、対象計器及び変成器から読み取られた関連付けバーコード情報に基づいて、対象計器と変成器との組合せが正しいか否かをチェックし、その結果を携帯電話４１に送信する組合せチェック手段１４とを具備する。【選択図】  図１
2007033362.tif 000002
【特許請求の範囲】
【請求項１】
外部から入力される対象計器の機器バーコード情報を取得するバーコード情報取得手段（１２）と、
該バーコード情報取得手段で取得した機器バーコード情報に基づいて、当該対象計器と組み合わせて使用される変成器を割り当てて当該対象計器と変成器との組合せ情報を生成するとともに、生成した組合せ情報に基づいて、前記対象計器と前記変成器とを関連付ける関連付けバーコード情報を生成する変成器割当手段（１３）と、
携帯電話（４１）から送信された、前記対象計器と変成器の関連付けバーコード情報に基づいて、前記対象計器と前記変成器との組合せが正しいか否かをチェックし、その結果を表わすチェック結果データを、前記携帯電話に送信する組合せチェック手段（１４）と
を具備することを特徴とする計器誤組合せ防止システム。
【請求項２】
請求項１記載の計器誤組合せ防止システムにおいて、前記変成器割当手段（１３）は、前記関連付けバーコード情報を示す２次元バーコードデータを生成し、該生成された２次元バーコードデータに基づいて作成された２次元バーコードが、前記対象計器及び前記変成器に貼付されることを特徴とする計器誤組合せ防止システム。
【請求項３】
請求項１又は２記載の計器誤組合せ防止システムにおいて、
前記携帯電話はカメラ付であり、更に、
該カメラ付携帯電話から前記対象計器と変成器の取付状況を示す取付写真データが送信されると、それを取得して取付写真データベース（２５）に格納する取付写真取得手段（１５）と、
前記携帯電話から取付作業完了データが送信されると、前記取付写真データベースから前記取付写真データを読み出して検査担当者端末装置（４３）に送信する送受信手段（１６）と
を具備することを特徴とする計器誤組合せ防止システム。
【請求項４】
請求項３記載の計器誤組合せ防止システムにおいて、前記送受信手段（１６）は、前記検査担当者端末装置から取付状況を確認した旨の取付状況確認データが送信されると、該取付状況確認データを前記携帯電話に送信することを特徴とする計器誤組合せ防止システム。
【請求項５】
計器誤組合せ防止システム（１０）のバーコード情報取得手段（１２）により、対象計器の機器バーコード情報を取得する第１のステップ（Ｓ１３）と、
前記計器誤組合せ防止システムの変成器割当手段（１３）により、前記バーコード情報取得手段で取得した機器バーコード情報に基づいて、該対象計器と組み合わせて使用される変成器を割り当てて当該対象計器と変成器との組合せ情報を生成し、該生成した組合せ情報を計器担当者端末装置（４２）に送信する第２のステップ（Ｓ１４）と、
前記変成器割当手段（１３）により、前記生成した組合せ情報に基づいて、前記対象計器と前記変成器とを関連付けるための関連付けバーコード情報を生成する第３のステップ（Ｓ１５）と、
前記対象計器及び前記変成器を取り付ける前に、携帯電話（４１）により、前記対象計器及と変成器の関連付けバーコード情報を前記計器誤組合せ防止システム（１０）に送信する第４のステップ（Ｓ１８）と、
前記携帯電話を持つ作業員により、前記関連付けバーコード情報に基づいて前記対象計器と前記変成器との組合せをチェックする第５のステップ（Ｓ１９）と、
前記計器誤組合せ防止システムの組合せチェック手段（１４）により、前記携帯電話から送信されてくる前記関連付けバーコード情報に基づいて前記対象計器と前記変成器との組合せが正しいか否かをチェックし、その結果を表わすチェック結果データを前記携帯電話に送信する第６のステップ（Ｓ２０）と
を具備することを特徴とする計器誤組合せ防止方法。
【請求項６】
請求項５記載の計器誤組合せ防止方法において、前記第３のステップでは、前記変成器割当手段（１３）により、前記関連付けバーコード情報を示す２次元バーコードデータを生成し、該生成された２次元バーコードデータに基づいて作成された２次元バーコードが前記対象計器及び前記変成器に貼付されることを特徴とする計器誤組合せ防止方法。
【請求項７】
請求項５又は６記載の計器誤組合せ防止方法において、
前記携帯電話（４１）はカメラ付であり、更に、
前記対象計器及び前記変成器が取り付けられた後、前記カメラ付携帯電話により、該対象計器及び該変成器の取付状況を示す取付写真を撮影し、その取付写真を表わす取付写真データを前記計器誤組合せ防止システムに送信する第７のステップ（Ｓ２３）と、
前記計器誤組合せ防止システムの取付写真取得手段（１５）により、前記携帯電話から送信された取付写真データを取得して取付写真データベース（２５）に格納する第８のステップ（Ｓ２４）と、
前記計器誤組合せ防止システムの送受信手段（１６）により、前記携帯電話から送信された取付作業完了データに応じて、前記取付写真データベースから読み出した取付写真データを、検査担当者端末装置（４３）に送信する第９のステップ（Ｓ２６）と
を具備することを特徴とする計器誤組合せ防止方法。
【請求項８】
請求項７記載の計器誤組合せ防止方法において、更に、前記送受信手段（１６）により、前記検査担当者端末装置（４３）から送信された取付状況確認データを、前記携帯電話に送信する第１０のステップ（Ｓ２８）を具備することを特徴とする計器誤組合せ防止方法。
【発明の詳細な説明】
【技術分野】
【０００１】
本発明は、電力量計などの計器と変成器とを間違いなく組み合わせて取り付けるのに好適な計器誤組合せ防止システム及び方法に関する。
【背景技術】
【０００２】
例えば、下記特許文献１に示されるように、電力量計などの計器と変成器とを組み合わせて使用する場合には、高圧計器は高圧変成器と、低圧ＣＴ付き計器は低圧変流器と、それぞれ組み合わせて使用する必要がある。そのため、電力会社では、計器と変成器との組合せが正しいか否かを、計器倉庫からの計器及び変成器の庫出業務において計器担当者が工事依頼書に基づいて目視で確認しているほか、取付作業箇所での計器及び変成器の取付作業において作業員が工事依頼書に基づいてチェックシートを用いて目視で確認し、工事施工後にも検査担当者が作業員によって撮影された取付写真及び工事依頼書に基づいて目視で確認している。
【０００３】
なお、本出願人が調査した範囲では、このような計器と変成器との誤組合せを防止するためのシステム及び方法に関する先行技術文献はなかった。
【０００４】
【特許文献１】特開２００５−１３４２１０号公報
【発明の開示】
【発明が解決しようとする課題】
【０００５】
しかしながら、上述したような計器担当者、作業員及び検査担当者による目視確認では、チェック漏れや確認漏れが生じ易く、計器と変成器との誤組合せを完全に防止することは実際上困難であるため、計器の使用開始後に誤組合せが見つかり、計器又は変成器の取替作業を行う場合が生じるという問題があった。
【０００６】
また、このような問題を解決するために、計器項目情報及び組合せチェック用識別子が入ったバーコードやＩＣタグを計器に貼付し、業務用ハンディターミナルを用いてバーコードやＩＣタグから計器項目情報及び組合せチェック用識別子を読み取る方法も考えられるが、業務用ハンディターミナルは非常に高価であるため、計器と変成器との組合せチェックを行う多数の作業員の一人一人に業務用ハンディターミナルを持たせることは、経費などの事情から非常に難しいという問題があった。
【０００７】
本発明の目的は、作業員に業務用ハンディターミナルのような高価な機器を持たせることなく、計器と変成器との誤組合せを防止することができる計器誤組合せ防止システム及び方法を提供することにある。
【課題を解決するための手段】
【０００８】
本発明の計器誤組合せ防止システムは、外部から入力される対象計器の機器バーコード情報を取得するバーコード情報取得手段と、該バーコード情報取得手段で取得した機器バーコード情報に基づいて、当該対象計器と組み合わせて使用される変成器を割り当てて当該対象計器と変成器との組合せ情報を生成するとともに、生成した組合せ情報に基づいて、前記対象計器と前記変成器とを関連付ける関連付けバーコード情報を生成する変成器割当手段と、携帯電話から送信される、前記対象計器及び前記変成器から読み取られた関連付けバーコード情報に基づいて、当該対象計器と変成器との組合せが正しいか否かをチェックし、その結果を表わすチェック結果データを前記携帯電話に送信する組合せチェック手段とを具備することを特徴とする。
【０００９】
ここで、前記変成器割当手段により、前記関連付けバーコード情報を示す２次元バーコードデータを生成し、該生成された２次元バーコードデータに基づいて作成された２次元バーコードを前記対象計器及び前記変成器に貼付することが好ましい。
【００１０】
本発明の計器誤組合せ防止システムにおいて、携帯電話はカメラ付とし、更に、
該カメラ付携帯電話から送信されてくる、対象計器及び変成器の取付状況を示す取付写真データを取得して、取付写真データベースに格納する取付写真取得手段と、前記携帯電話から取付作業完了データが送信されてくると、前記取付写真データベースから前記取付写真データを読み出して検査担当者端末装置に送信する送受信手段とを具備してもよい。
【００１１】
また、前記検査担当者端末装置から取付状況を確認した旨の取付状況確認データが送信されてくると、その取付状況確認データを前記送受信手段により携帯電話に送信してもよい。
【００１２】
本発明の計器誤組合せ防止方法は、計器誤組合せ防止システムのバーコード情報取得手段により、外部から入力される対象計器の機器バーコード情報を取得する第１のステップと、前記計器誤組合せ防止システムの変成器割当手段により、前記バーコード情報取得手段から入力される前記対象計器の機器バーコード情報に基づいて、該対象計器と組み合わせて使用される変成器を割り当てて該対象計器と該変成器との組合せ情報を生成し、該生成した組合せ情報を計器担当者端末装置に送信する第２のステップと、前記変成器割当部により、前記生成した組合せ情報に基づいて前記対象計器と前記変成器とを関連付けるための関連付けバーコード情報を生成する第３のステップと、前記対象計器及び前記変成器を取り付ける前に、当該対象計器及び変成器から読み取られた前記関連付けバーコード情報を、前記携帯電話から前記計器誤組合せ防止システムに送信する第４のステップと、前記携帯電話に表示された前記関連付けバーコード情報に基づいて、前記対象計器と前記変成器との組合せが作業員によってチェックされる第５のステップと、前記計器誤組合せ防止システムの組合せチェック手段により、前記携帯電話から送信されてくる前記関連付けバーコード情報に基づいて前記対象計器と前記変成器との組合せが正しいか否かをチェックし、該チェックの結果を表わすチェック結果データを前記携帯電話に送信する第６のステップとを具備することを特徴とする。
【００１３】
ここで、前記変成器割当手段により、前記第３のステップにおいて前記関連付けバーコード情報を示す２次元バーコードデータを生成し、該生成された２次元バーコードデータに基づいて作成された２次元バーコードを前記対象計器及び前記変成器に貼付することができる。
【００１４】
本発明の方法では、前記携帯電話はカメラ付を使用し、更に、前記対象計器及び前記変成器が取り付けられた後に前記カメラ付携帯電話により、該対象計器及び該変成器の取付状況を示す取付写真を撮影し、該撮影された取付写真を表わす取付写真データを、携帯電話から前記計器誤組合せ防止システムに送信する第７のステップと、前記計器誤組合せ防止システムの取付写真取得手段により、前記携帯電話から送信されてくる前記取付写真データを取得して取付写真データベースに格納する第８のステップと、前記計器誤組合せ防止システムの送受信手段により、前記携帯電話から取付作業完了データが送信されてくると、前記取付写真データベースから前記取付写真データを読み出して検査担当者端末装置に送信する第９のステップとを具備してもよい。
【００１５】
更に、前記検査担当者端末装置から取付状況を確認した旨の取付状況確認データが送信されてくると、該送信されてきた取付状況確認データを、前記送受信手段により前記携帯電話に送信する第１０のステップを具備してもよい。
【発明の効果】
【００１６】
本発明の計器誤組合せ防止システム及び方法は、以下の効果を奏する。
（１）作業員は携帯電話を用いて対象計器及び変成器から関連付けバーコード情報を読み取ればよいので、作業員に高価な業務用ハンディターミナルを持たせることなく計器と変成器との誤組合せを防止することができる。
（２）作業員と計器誤組合せ防止システムとの二重チェックを行うので、作業員が取付作業箇所を誤ったり誤った組合せの対象計器及び変成器を取り付けたりすることを防止することができる。
【発明を実施するための最良の形態】
【００１７】
以下、本発明の計器誤組合せ防止システム及び方法の実施例について、図面を参照して説明する。なお、容量が同じ計器及び変成器は、機器バーコード情報を表わす１次元バーコードが予め貼付されて電力会社の計器倉庫に保管されており、また、計器倉庫に保管されている計器及び変成器の情報は機器情報データベース（機器情報ＤＢ）２１及び変成器情報データベース（変成器情報ＤＢ）２２に格納されているものとする。
【００１８】
本発明の一実施例による計器誤組合せ防止システム１０は、図１に示すように、ハンディターミナル３１に接続された工事内容情報取得部１１と、バーコード読取装置３２に接続されたバーコード情報取得部１２と、変成器割当部１３と、組合せチェック部１４と、取付写真取得部１５と、携帯電話網５０を介してカメラ付の携帯電話４１と相互に接続されるとともに計器担当者端末装置４２及び検査担当者端末装置４３と社内ＬＡＮなどの通信回線を介して相互に接続された送受信部１６とを具備する。
【００１９】
工事内容情報取得部１１は、ハンディターミナル３１から入力される工事内容情報を取得して、取得した工事内容情報を工事情報データベース（工事情報ＤＢ）２４に格納するとともに変成器割当部１３に出力する。
【００２０】
バーコード情報取得部１２は、バーコード読取装置３２から入力される機器バーコード情報を取得して、取得した機器バーコード情報を変成器割当部１３に出力する。ここで、機器バーコード情報は、計器及び変成器の種別ごとに予め定められた以下に述べるような情報であり、計器及び変成器に貼付された１次元バーコードに入れられる。
【００２１】
高圧計器に関する機器バーコード情報は、図２に一例を示すように、各データ項目（計量方式、計器種別、容量、型式、型式コード、製造番号（製造Ｎｏ．）、製造年、乗率、計器盤桁、検定有効期限、検定番号及び合番号）について入力内容、桁数、型式及び入力仕様の具体的内容を示すものである。ここで、この高圧計器と組み合わせて使用される高圧変成器の情報は、データ項目「合番号」の入力内容、桁数及び型式で示される。なお、データ項目「計器種別」はなくてもよい。
【００２２】
低圧ＣＴ付き計器に関する機器バーコード情報は、図３に一例を示すように、各データ項目（計量方式、容量、型式、製造年、製造番号、乗率、計器盤桁、検定有効年、検定有効月、計器の合番号、製造番号（１）、製造番号（２）、原検定年、原検定月及び原検定番号（原検定Ｎｏ．））について入力内容、桁数及び型式の具体的内容を示すものである。ここで、この低圧ＣＴ付き計器と組み合わせて使用される低圧変流器の情報は、データ項目「計器の合番号」の内容、桁数及び型式で示される。なお、後述する低圧変成器との組合せをチェックするのに原検定番号を用いるため、合番号は原検定番号と同じにされている。
【００２３】
高圧変成器に関する機器バーコード情報は、図４に一例を示すように、各データ項目（容量、型式、型式コード、製造番号（製造Ｎｏ．）、製造年、原検定有効期限及び合番号）について入力内容、桁数、型式及び入力仕様の具体的内容を示すものである。ここで、この高圧変成器と組み合わせて使用される高圧計器の情報は、データ項目「合番号」の入力内容、桁数及び型式で示され、組み合わされる高圧計器の合番号と同じにされている。
【００２４】
低圧変流器に関する機器バーコード情報は、図５に一例を示すように、各データ項目（計量方式、容量、製造番号（１）、製造番号（２）、原検定年、原検定月及び原検定番号（原検定Ｎｏ．））について入力内容及び桁数の具体的内容を示すものである。ここで、この低圧変流器と組み合わせて使用される低圧ＣＴ付き計器の情報は、データ項目「原検定番号」の入力内容、桁数及び型式で示され、組み合わされる低圧計器の原検定番号と同じにされている。なお、データ項目「計量方式」及び「容量」はなくてもよい。
【００２５】
変成器割当部１３は、機器バーコード情報取得部１２から入力される対象計器の機器バーコード情報に含まれている合番号に基づいて、この対象計器と組み合わせて使用される変成器を割り当てる。また、変成器割当部１３は、対象計器と変成器との組合せ情報を生成して、生成した組合せ情報を組合せ情報データベース（組合せ情報ＤＢ）２３に格納する。さらに、変成器割当部１３は、工事内容情報取得部１１から入力される工事内容情報と生成した組合せ情報とに基づいて、工事依頼書、対象計器及び変成器を関連付けるための関連付けバーコード情報（取付作業箇所、対象計器及び変成器の機器バーコード情報、対象計器と変成器との組合せ情報及び工事内容など）を示す２次元バーコードデータを生成して、生成した２次元バーコードデータをプリンタ３３に出力する。
【００２６】
組合せチェック部１４は、携帯電話４１から送信されてくる関連付けバーコード情報に含まれている取付作業箇所に基づいて、取付作業箇所が正しいか否かをチェックする。また、組合せチェック部１４は、この関連付けバーコード情報に含まれている対象計器及び変成器の機器バーコード情報に基づいて組合せ情報データベース２３から組合せデータを読み出して、対象計器と変成器との組合せが正しいか否かをチェックする。組合せチェック部１４は、取付作業箇所が正しいか否かのチェック結果と対象計器と変成器との組合せが正しいか否かのチェック結果とを表わすチェック結果データを携帯電話４１に送受信部１６を介して送信する。
【００２７】
取付写真取得部１５は、携帯電話４１から送信されてくる取付写真データを取得して、取得した取付写真データを取付写真データベース（取付写真ＤＢ）２５に格納する。
【００２８】
送受信部１６は、計器担当者端末装置４２から送信されてくる対象計器庫出データ及び変成器庫出データに基づいて、対象計器が庫出された旨を示す計器庫出情報を計器情報データベース２１に格納するとともに、変成器が庫出された旨を示す変成器庫出情報を変成器情報データベース２２に格納する。また、送受信部１６は、取付作業完了データが携帯電話４１から送信されてくると、工事情報データベース２４から工事内容情報を読み出すとともに取付写真データベース２５から取付写真データを読み出して、読み出した工事内容情報及び取付写真データを検査担当者端末装置４３に送信する。さらに、送受信部１６は、取付状況を確認した旨の取付状況確認データが検査担当者端末装置４３から送信されてくると、送信されてきた取付状況確認データを工事情報データベース２４に格納するとともに携帯電話網５０を介して携帯電話４１に送信する。さらにまた、送受信部１６は、携帯電話４１との間の携帯電話網５０を介した各種のデータや信号の送受信を行うとともに、計器担当者端末装置４２及び検査担当者端末装置４３との間の社内ＬＡＮなどの通信回線を介した各種のデータや信号の送受信を行う。
【００２９】
次に、本実施例による計器誤組合せ防止システム１０の動作について、図６乃至図８に示すフローチャートを参照して説明する。
【００３０】
計器担当者は、工事依頼書に貼付された１次元バーコードをハンディターミナル３１で走査して、申込番号、工事内容（取付作業箇所など）、対象計器及び変成器などを示す工事内容情報を工事依頼書毎に読み取っていく。これにより、ハンディターミナル３１に、対象計器及び変成器が工事内容ごとに示された工事内容一覧表が表示される。また、ハンディターミナル３１により読み取られた工事内容情報は、ハンディターミナル３１から計器誤組合せ防止システム１０に出力され、計器誤組合せ防止システム１０の工事内容情報取得部１１によって取得される。工事内容情報取得部１１は、取得した工事内容情報を工事情報データベース２４に格納するとともに変成器割当部１３に出力する（ステップＳ１１）。
【００３１】
計器担当者は、ハンディターミナル３１に表示された工事内容一覧表を参照して対象計器を選択する（ステップＳ１２）。ここでは、対象計器として高圧計器が選択されたとして、以下の説明を行う。
【００３２】
計器担当者は、選択した高圧計器に貼付されている１次元バーコードをバーコード読取装置３２で走査して機器バーコード情報を読み取らせる。読み取られた高圧計器の機器バーコード情報は、バーコード読取装置３２から計器誤組合せ防止システム１０に出力されて、計器誤組合せ防止システム１０のバーコード情報取得部１２によって取得される。バーコード情報取得部１２は、取得した高圧計器の機器バーコード情報を変成器割当部１３に出力する（ステップＳ１３）。
【００３３】
変成器割当部１３は、バーコード情報取得部１２から入力される高圧計器の機器バーコード情報に含まれている合番号に基づいて、この高圧計器と組み合わせて使用される高圧変成器を割り当てた後、高圧計器と高圧変成器との組合せを示す組合せ情報を生成する。生成された組合せ情報は、組合せ情報データベース２３に格納されるとともに、送受信部１６を介して計器担当者端末装置４２に送信される（ステップＳ１４）。これにより、高圧計器と高圧変成器との組合せを示す画面が計器担当者端末装置４２に表示される。
【００３４】
また、変成器割当部１３は、工事内容情報取得部１１から入力される工事内容情報と、生成した組合せ情報とに基づいて、工事依頼書、高圧計器及び高圧変成器を関連付けるための関連付けバーコード情報（取付作業箇所（顧客名など）、高圧計器及び高圧変成器の機器バーコード情報、高圧計器と高圧変成器との組合せ及び工事内容など）を生成する。変成器割当部１３は、この関連付けバーコード情報が入った２次元バーコードデータを生成して、生成した２次元バーコードデータをプリンタ３３に出力する（ステップＳ１５）。これにより、関連付けバーコード情報が入った２次元バーコードが、プリンタ３３によって印刷される。
【００３５】
計器担当者は、計器担当者端末装置４２に表示された高圧計器と高圧変成器との組合せによって特定される高圧計器及び高圧変成器と工事依頼書とに、プリンタ３３によって印刷された２次元バーコードを貼付した後、高圧計器及び高圧変成器を計器倉庫から庫出する。このとき、計器担当者は、高圧計器及び高圧変成器が庫出された旨を示す対象計器庫出データ及び変成器庫出データを計器担当者端末装置４２から計器誤組合せ防止システム１０に送信する（ステップＳ１６）。
【００３６】
計器誤組合せ防止システム１０の送受信部１６は、計器担当者端末装置４２から受信した対象計器庫出データ及び変成器庫出データに基づいて、高圧計器が庫出された旨を示す計器庫出情報を計器情報データベース２１に格納するとともに、高圧変成器が庫出された旨を示す変成器庫出情報を変成器情報データベース２２に格納する（ステップＳ１７）。
【００３７】
２次元バーコードが貼付された工事依頼書、高圧計器及び高圧変成器は、取付作業箇所毎に分けられて、工事会社の担当者に渡される。
【００３８】
作業日になると、工事会社の作業員は、高圧計器及び高圧変成器を取り付ける前に、工事依頼書、高圧計器及び高圧変成器に貼付されている２次元バーコードを携帯電話４１で走査して、関連付けバーコード情報を読み取る。読み取られた関連付けバーコード情報は、携帯電話４１に表示されるとともに、携帯電話４１から携帯電話網５０を介して計器誤組合せ防止システム１０に送信される（ステップＳ１８）。
【００３９】
作業員は、携帯電話４１に表示された関連付けバーコード情報に含まれている作業箇所に基づいて取付作業箇所が正しいか否かをチェックするとともに、表示された関連付けバーコード情報に含まれている高圧計器及び高圧変成器の機器バーコード情報（容量や乗率など）に基づいて高圧計器と高圧変成器との組合せが正しいか否かをチェックする（ステップＳ１９）。
【００４０】
同時に、計器誤組合せ防止システム１０の組合せチェック部１４は、携帯電話４１から送受信部１６を介して関連付けバーコード情報を受信すると、受信した関連付けバーコード情報に含まれている取付作業箇所に基づいて取付作業箇所が正しいか否かをチェックするとともに、受信した関連付けバーコード情報に含まれている高圧計器及び高圧変成器の機器バーコード情報に基づいて組合せ情報データベース２３から組合せデータを読み出して、受信した関連付けバーコード情報によって示される高圧計器と高圧変成器との組合せが正しいか否かをチェックする。組合せチェック部１４は、チェック結果を表わすチェック結果データを送受信部１６に出力して、携帯電話網５０を介して携帯電話４１に送信させる（ステップＳ２０）。
【００４１】
作業員は、携帯電話４１に表示された関連付けバーコード情報に基づいてチェックした結果、取付作業箇所や高圧計器と高圧変成器との組合せが誤っている場合や、取付作業箇所及び／又は高圧計器と高圧変成器との組合せが誤っている旨を表わすチェック結果データが計器誤組合せ防止システム１０から携帯電話４１に送信されてきた場合には、工事依頼書、高圧計器及び高圧変成器に貼付されているエフを確認して、この取付作業箇所に取り付ける正しい組合せの高圧計器及び高圧変成器を選んで、選んだ高圧計器及び高圧変成器と工事依頼書とに貼付されている２次元バーコードを携帯電話４１で走査して、工事依頼書、高圧計器及び高圧変成器の関連付けバーコード情報を読み取る。読み取られた関連付けバーコード情報は、携帯電話４１に表示されるとともに、携帯電話４１から携帯電話網５０を介して計器誤組合せ防止システム１０に送信された後、ステップＳ１９及びステップＳ２０で説明した動作が行われる（ステップＳ２１，Ｓ２２）。
【００４２】
このように、作業員と計器誤組合せ防止システム１０との二重チェックが行われるため、作業員が取付作業箇所を誤ったり誤った組合せの高圧計器及び高圧変成器を取り付けたりすることを防止することができる。
【００４３】
一方、作業員は、携帯電話４１に表示された関連付けバーコード情報に基づいてチェックした結果、取付作業箇所及び高圧計器と高圧変成器との組合せが正しい場合や、取付作業箇所及び高圧計器と高圧変成器との組合せが正しい旨を示すチェック結果が携帯電話４１によって受信されると、高圧計器及び高圧変成器を取り付けた後、携帯電話４１を用いて、高圧計器及び高圧変成器の取付状況を示す取付写真を撮影する。撮影された取付写真を表わす取付写真データは、携帯電話４１から携帯電話網５０を介して計器誤組合せ防止システム１０に送信される（ステップＳ２１，Ｓ２３）。
【００４４】
計器誤組合せ防止システム１０の送受信部１６は、取付写真データを携帯電話４１から受信すると、受信した取付写真データを取付写真取得部１５に出力する。取付写真取得部１５は、送受信部１６から入力される取付写真データを取付写真データベース２５に格納する（ステップＳ２４）。
【００４５】
その後、作業員は、高圧計器及び高圧変成器の取付作業が完了した旨を示す取付作業完了データを携帯電話４１から携帯電話網５０を介して計器誤組合せ防止システム１０に送信する（ステップＳ２５）。
【００４６】
計器誤組合せ防止システム１０の送受信部１６は、取付作業完了データを携帯電話４１から受信すると、工事情報データベース２４から工事内容情報を読み出すとともに、取付写真データベース２５から取付写真データを読み出す。送受信部１６は、読み出した工事内容情報及び取付写真データを送受信部１６に出力して検査担当者端末装置４３に送信させる（ステップＳ２６）。これにより、工事内容情報や取付作業箇所における高圧計器及び高圧変成器の取付状況を示す画面が検査担当者端末装置４３に表示される。
【００４７】
検査担当者は、検査担当者端末装置４３に表示された工事内容情報や高圧計器及び高圧変成器の取付状況を確認した後、取付状況を確認した旨を表わす取付状況確認データを検査担当者端末装置４３から社内ＬＡＮなどの通信回線を介して計器誤組合せ防止システム１０に送信する（ステップＳ２７）。
【００４８】
計器誤組合せ防止システム１０の送受信部１６は、取付状況確認データを検査担当者端末装置４３から受信すると、受信した取付状況確認データを工事情報データベース２４に格納するとともに携帯電話網５０を介して携帯電話４１に転送する（ステップＳ２８）。
【００４９】
作業員は、取付状況を確認した旨が携帯電話４１に表示されると、この取付作業箇所における取付作業を終了して、次の取付作業箇所に移動する。
【００５０】
以上の説明においては、工事依頼書、対象計器及び変成器に１次元バーコード及び２次元バーコードを貼付したが、同じ情報を入れたＩＣタグを貼付してもよい。
【００５１】
また、取付作業箇所に取り付けられた対象計器の指示数を携帯電話４１で撮影し、撮影された指示数が含まれた写真画像データを携帯電話４１から計器誤組合せ防止システム１０に送信し、送受信部１６が、携帯電話４１から送信されてきた写真画像データに含まれている指示数を示す画像データをテキストデータに変換して、テキストデータに変換された指示数を取付写真データと関連付けて取付写真データベース２５に格納してもよい。これにより、指示数を顧客への取付工事及び検針結果の報告用資料を作成する際に活用したりすることができる。
【図面の簡単な説明】
【００５２】
【図１】本発明の一実施例による計器誤組合せ防止システムの構成を示すブロック図。
【図２】高圧計器に関するバーコード情報の一例を示す図。
【図３】低圧ＣＴ付き計器に関するバーコード情報の一例を示す図。
【図４】高圧変成器に関するバーコード情報の一例を示す図。
【図５】低圧変流器に関するバーコード情報の一例を示す図。
【図６】図１に示した計器誤組合せ防止システムの動作を説明するためのフローチャート。
【図７】図１に示した計器誤組合せ防止システムの動作を説明するためのフローチャート。
【図８】図１に示した計器誤組合せ防止システムの動作を説明するためのフローチャート。
【符号の説明】
【００５３】
１０・・・計器誤組合せ防止システム、１１・・・工事内容情報取得部、１２・・・バーコード情報取得部、１３・・・変成器割当部、１４・・・組合せチェック部、１５・・・取付写真取得部、１６・・・送受信部、２１・・・機器情報データベース、２２・・・変成器情報データベース、２３・・・組合せ情報データベース、２４・・・工事情報データベース、２５・・・取付写真データベース、３１・・・ハンディターミナル、３２・・・バーコード読取装置、３３・・・プリンタ、４１・・・携帯電話、４２・・・計器担当者端末装置、４３・・・検査担当者端末装置、５０・・・携帯電話網。
【図１】
2007033362.tif 000003
【図２】
2007033362.tif 000004
【図３】
2007033362.tif 000005
【図４】
2007033362.tif 000006
【図５】
2007033362.tif 000007
【図６】
2007033362.tif 000008
【図７】
2007033362.tif 000009
【図８】
2007033362.tif 000010